(57)【特許請求の範囲】
【請求項１】
テレビジョン放送を受信する受信手段と、
外部から受け付けた操作入力に基づいて、前記受信手段を介して受信された映像情報に対応する映像をモニタに表示する際の画質を規定する画質条件を設定する画質条件設定手段と、
画質を評価するための標準画像情報を予め格納する標準画像記憶手段と、
前記画質条件設定手段によって前記画質条件が設定された場合に、前記標準画像記憶手段に予め格納された前記標準画像情報を読み出して予め設定された画質条件に基づいて、前記モニタの予め設定された第１領域に表示すると共に、前記標準画像情報を前記画質条件設定手段によって設定された画質条件に基づいて、前記モニタの予め設定され、前記第１領域と相違する第２領域に表示する標準画像表示手段と、
前記画質条件設定手段によって設定された画質条件に基づいて、前記モニタに表示する映像情報の画質を調整する画質調整手段と、
前記画質調整手段を介することなく、ＯＳＤ（Ｏｎ−Ｓｃｒｅｅｎ Ｄｉｓｐｌａｙ）機能に基づいて、前記モニタに画像を表示する直接表示手段と、
を備え、
前記標準画像表示手段は、前記直接表示手段を介して、前記標準画像情報を前記第１領域に表示すると共に、前記画質調整手段を介して、前記標準画像情報を前記第２領域に表示することを特徴とする放送受信装置。
【請求項２】
前記標準画像表示手段は、前記受信手段を介して受信された映像情報に対応する映像を、前記モニタの予め設定され、前記第１領域及び前記第２領域と相違する第３領域に表示することを特徴とする請求項１に記載の放送受信装置。
【請求項３】
前記標準画像情報は、色合い及び色の濃さのいずれか一方を設定する場合に参照されるカラーバー画像、シャープネスを設定する場合に参照されるマルチバースト信号（Ｍｕｌｔｉ−Ｂｕｒｓｔ Ｓｉｇｎａｌ）に対応する画像、及び、コントラスト及びブライトネスのいずれか一方を設定する場合に参照されるモノクロバー画像の内、少なくとも１の画像に対応する画像情報を含むことを特徴とする請求項１又は請求項２に記載の放送受信装置。
【発明の詳細な説明】
【技術分野】
【０００１】
本発明は、テレビジョン放送を受信し、外部から視認可能にモニタに出力可能に構成された放送受信装置に関する。
【背景技術】
【０００２】
従来、テレビジョン放送を受信し、外部から視認可能にモニタに出力可能に構成された放送受信装置では、モニタが配設された環境等の条件に応じて、モニタに表示する映像の画質を設定する機能が設けられている。そこで、利便性良好に画質を設定するために、種々の装置、方法等が提案されている。
【０００３】
例えば、録画予約の設定を受ける際に、ユーザに輝度、コントラスト、彩度及び色合い等の画質パラメータを入力させ、ハードディスク又は光ディスクにこれを記録し、記録された番組を再生する際には、画像・音声信号処理回路に画質パラメータに基づいて出力する画像信号を変更する放送信号記録再生装置が開示されている（特許文献１参照）。
【特許文献１】特開２００６−２２２７７３号公報
【発明の開示】
【発明が解決しようとする課題】
【０００４】
しかしながら、上記放送信号記録再生装置では、録画予約の設定を行う際に、ユーザが輝度、コントラスト、彩度及び色合い等の画質パラメータを入力する必要があるが、これらの画質パラメータをユーザが適正な条件に設定することは、設定された画質条件が適正であるか否かの判断が困難であるため、容易ではない場合があった。
【０００５】
すなわち、画質パラメータをユーザが設定する際には、設定された画質パラメータに対応する映像情報がモニタに表示されるが、設定された条件が適正であるか否かの判断をするためには、種々の映像等をモニタに表示させて確認する必要があり、設定された画質条件が適正であるか否かの判断が困難であった。
【０００６】
本発明は、上記課題に鑑みてなされたものであって、適正な画質条件を容易に設定することの可能な放送受信装置を提供することを目的としている。
【課題を解決するための手段】
【０００７】
上記目的を達成するために本発明の放送受信装置は、テレビジョン放送を受信し、外部から視認可能にモニタに出力可能に構成された放送受信装置であって、テレビジョン放送を受信する受信手段と、外部からの操作入力を受け付けて、受け付けられた操作入力に基づいて、前記受信手段を介して受信された映像情報に対応する映像を前記モニタに表示する際の画質を規定する条件である画質条件を設定する画質条件設定手段と、画質を評価する標準画像情報を予め格納する標準画像記憶手段と、前記画質条件設定手段によって画質条件が設定された場合に、前記標準画像記憶手段に格納された標準画像情報を読み出して予め設定された画質条件に基づいて、前記モニタの予め設定された第１領域に表示すると共に、前記標準画像情報を前記画質条件設定手段によって設定された画質条件に基づいて、前記モニタの予め設定され、前記第１領域と相違する第２領域に表示する標準画像表示手段と、を備えることを特徴としている。
【０００８】
上記構成の放送受信装置において、前記画質条件設定手段によって設定された画質条件に基づいて、前記モニタに表示する映像情報の画質を調整する画質調整手段と、前記画質調整手段を介することなく、ＯＳＤ（Ｏｎ−Ｓｃｒｅｅｎ Ｄｉｓｐｌａｙ）機能に基づいて、前記モニタに画像を表示する直接表示手段と、を備え、前記標準画像表示手段が、前記直接表示手段を介して、前記標準画像情報を第１領域に表示すると共に、前記画質調整手段を介して、前記標準画像情報を第２領域に表示してもよい。
【０００９】
また、上記構成の放送受信装置において、前記標準画像表示手段が、前記受信手段を介して受信された映像情報に対応する映像を、前記モニタの予め設定され、前記第１領域及び第２領域と相違する第３領域に表示してもよい。
【００１０】
また、上記構成の放送受信装置において、前記標準画像情報が、色合い及び色の濃さのいずれか一方を設定する場合に参照されるカラーバー画像、シャープネスを設定する場合に参照されるマルチバースト信号（Ｍｕｌｔｉ−Ｂｕｒｓｔ Ｓｉｇｎａｌ）に対応する画像、及び、コントラスト及びブライトネスのいずれか一方を設定する場合に参照されるモノクロバー画像の内、少なくとも１の画像に対応する画像情報を含んでもよい。
【発明の効果】
【００１１】
本発明によれば、受信手段によってテレビジョン放送が受信され、外部からの操作入力が受け付けられて、受け付けられた操作入力に基づいて、受信手段を介して受信された映像情報に対応する映像をモニタに表示する際の画質を規定する条件である画質条件が設定される。また、画質を評価する標準画像情報が標準画像記憶手段に予め格納されており、画質条件が設定された場合に、標準画像記憶手段に格納された標準画像情報が読み出されて予め設定された画質条件に基づいて、モニタの予め設定された第１領域に表示されると共に、標準画像情報が設定された画質条件に基づいて、モニタの予め設定され、第１領域と相違する第２領域に表示されるため、適正な画質条件を容易に設定することができる。
【００１２】
すなわち、画質条件が設定された場合に、標準画像記憶手段に格納された標準画像情報が読み出されて予め設定された画質条件に基づいて、モニタの予め設定された第１領域に表示されると共に、標準画像情報が設定された画質条件に基づいて、モニタの予め設定され、第１領域と相違する第２領域に表示されるため、ユーザは、第２領域に表示される標準画像の画質を、第１領域に表示された標準画像の画質と一致するべく、画質条件を設定すれば良いので、適正な画質条件を容易に設定することができるのである。
【００１３】
また、本発明によれば、画質調整手段によって、設定された画質条件に基づいて、モニタに表示する映像情報の画質が調整される。一方、直接表示手段によって、画質調整手段を介することなく、ＯＳＤ（Ｏｎ−Ｓｃｒｅｅｎ Ｄｉｓｐｌａｙ）機能に基づいて、モニタに画像が表示される。そして、直接表示手段を介して、標準画像情報が第１領域に表示されると共に、画質調整手段を介して、標準画像情報が第２領域に表示されるため、簡素な構成で適正な画質条件を容易に設定することができる。
【００１４】
すなわち、画質調整手段を介することなく、ＯＳＤ機能に基づいて、モニタに画像を表示する直接表示手段を介して、標準画像情報が第１領域に表示されると共に、設定された画質条件に基づいて、モニタに表示する映像情報の画質を調整する画質調整手段を介して、標準画像情報が第２領域に表示されるため、設定された画質条件に基づく標準画像、及び、予め設定された画質条件に基づく標準画像を、簡素な構成でモニタに表示することができるのである。
【００１５】
つまり、画質調整手段を介することなく、ＯＳＤ機能に基づいて、モニタに映像を表示する直接表示手段を有するため、この直接表示手段を介して予め設定された画質条件に基づく標準画像を簡素な構成でモニタに表示することができるのである。
【００１６】
また、本発明によれば、受信手段を介して受信された映像情報に対応する映像が、モニタの予め設定され、第１領域及び第２領域と相違する第３領域に表示されるため、設定された画質条件に基づく標準画像、及び、予め設定された画質条件に基づく標準画像に加えて、受信された映像情報に対応する映像も参照して画質条件を設定することができるので、適正な画質条件を更に容易に設定することができる。
【００１７】
また、本発明によれば、標準画像情報が、色合い及び色の濃さのいずれか一方を設定する場合に参照されるカラーバー画像、シャープネスを設定する場合に参照されるマルチバースト信号（Ｍｕｌｔｉ−Ｂｕｒｓｔ Ｓｉｇｎａｌ）に対応する画像、及び、コントラスト及びブライトネスのいずれか一方を設定する場合に参照されるモノクロバー画像の内、少なくとも１の画像に対応する画像情報を含むため、色合い、色の濃さ、シャープネス、コントラスト及びブライトネスの内、少なくとも１の画質調整を更に容易に設定することができる。
【００１８】
すなわち、例えば、標準画像情報が、色合い及び色の濃さのいずれか一方を設定する場合に参照されるカラーバー画像を含む場合には、設定された色合い及び色の濃さに基づくカラーバー画像、及び、予め設定された色合い及び色の濃さに基づくカラーバー画像がモニタに表示されるので、ユーザは、第２領域に表示されるカラーバー画像の色合い及び色の濃さを、第１領域に表示されたカラーバー画像の色合い及び色の濃さと一致するべく、色合い及び色の濃さを設定すれば良いので、適正な色合い及び色の濃さを容易に設定することができるのである。
【発明を実施するための最良の形態】
【００１９】
以下に本発明の実施形態を、図面を参照しながら説明する。図１は、本発明に係るデジタル放送受信機１の構成の一例を示すブロック図である。デジタル放送受信機１（放送受信装置に相当する）は、リモートコントローラ（＝Ｒｅｍｏｔｅｃｏｎｔｒｏｌｌｅｒ：以下、「リモコン」という）２と赤外線通信を介して通信可能に接続されている。
【００２０】
デジタル放送受信機１は、リモコン２を介してユーザからの操作入力を受け付けて、テレビジョン放送を受信し、ディスプレイ１８４及びスピーカ１６３に、それぞれ映像及び音声を出力するものであって、ＭＰＵ１１、ＲＡＭ１２、ＲＯＭ１３、操作部１４、受信部１５、音声出力部１６、ＭＰＥＧ２デコード部１７、画像出力部１８、及び、赤外線通信部１９を備えている。
【００２１】
リモコン２（画質設定条件手段の一部に相当する）は、種々のキーを備え、キーの押下を介してユーザからの操作入力を受け付けて、操作入力に対応する赤外線信号を生成して、デジタル放送受信機１（赤外線通信部１９）に対して出力するものである。
【００２２】
ＭＰＵ（Ｍｉｃｒｏ  Ｐｒｏｃｅｓｓｉｎｇ  Ｕｎｉｔ）１１は、デジタル放送受信機１全体の動作を制御するものである。ＲＡＭ（Ｒａｎｄｏｍ  Ａｃｃｅｓｓ  Ｍｅｍｏｒｙ）１２は、音声情報、映像情報等の情報を読み書き自在に格納するものである。ＲＯＭ（Ｒｅａｄ  Ｏｎｌｙ  Ｍｅｍｏｒｙ）１３は、ＭＰＵ１１を動作させる制御プログラム等を格納するものである。
【００２３】
操作部１４は、電源のＯＮ、ＯＦＦ操作、選局等の各種操作を受け付けるものである。受信部１５は、テレビジョン放送を受信して復調するものであって、アンテナ部１５１、チューナ部１５２、Ａ／Ｄ変換部１５３、復調部１５４、及び、ＴＳデマルチプレクサ１５５を備えている。
【００２４】
アンテナ部１５１は、テレビジョン放送波を受信するものである。チューナ部１５２は、アンテナ部１５１で受信されたテレビジョン放送波から、予め設定されたチャンネルの放送を選局するものである。Ａ／Ｄ変換部１５３は、チューナ部１５２からの出力信号（＝アナログ信号）をデジタル情報に変換するものである。復調部１５４は、Ａ／Ｄ変換部１５３からの出力情報を復調するものである。ＴＳ（Ｔｒａｎｓｐｏｒｔ  Ｓｔｒｅａｍ）デマルチプレクサ１５５は、復調部１５４によって復調された出力情報を種別毎に分離して出力するものである。
【００２５】
音声出力部１６は、受信部１５によって受信されたテレビジョン放送に対応する音声を出力するものであって、Ｄ／Ａ変換部１６１、音声信号出力部１６２、及び、スピーカ１６３を備えている。Ｄ／Ａ変換部１６１は、ＴＳデマルチプレクサ１５５から出力された音声情報（＝デジタル情報）をアナログ信号に変換するものである。音声信号出力部１６２は、Ｄ／Ａ変換部１６１によってアナログ信号に変換された音声信号を出力するものである。スピーカ１６３は、音声信号出力部１６２から出力された音声信号に対応する音声を出力するものである。
【００２６】
ＭＰＥＧ（Ｍｏｔｉｏｎ  Ｐｉｃｔｕｒｅ  Ｅｘｐｅｒｔｓ  Ｇｒｏｕｐ）２デコード部１７は、ＴＳデマルチプレクサ１５５から出力された映像情報を圧縮前の映像情報に復号化するものである。
【００２７】
画像出力部１８は、ＭＰＥＧ２デコード部１７によって復号化された映像情報を出力するものであって、ＮＴＳＣエンコード部１８１、映像信号出力部１８２、直接表示部１８３、及び、ディスプレイ１８４を備えている。ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）エンコード部１８１は、ＭＰＥＧ２デコード部１７によって復号化された映像情報及びＲＡＭ１２（後述する標準画像記憶部１２２）に格納された標準画像情報を、それぞれ、ＮＴＳＣ方式の映像信号及び画像信号に変換するものである。
【００２８】
映像信号出力部１８２（画質調整手段の一部に相当する）は、ＮＴＳＣエンコード部１８１から出力されたＮＴＳＣ方式の映像信号及び画像信号に対して、それぞれ、ＭＰＵ１１（後述する画質設定実行部１１２）からの指示に従って画質調整処理を実行し、画質調整処理が施された映像信号及び画像信号をディスプレイ１８４に対して出力するものである。
【００２９】
直接表示部１８３（直接表示手段に相当する）は、映像信号出力部１８２を介することなく、ＭＰＵ１１（後述する標準画像表示部１１３）からの指示に従って、ＲＡＭ１２（後述する標準画像記憶部１２２）に格納された標準画像を、ＯＳＤ（Ｏｎ−Ｓｃｒｅｅｎ  Ｄｉｓｐｌａｙ）機能に基づいて、ディスプレイ１８４に対して出力するものである。すなわち、直接表示部１８３は、ＲＡＭ１２（後述する標準画像記憶部１２２）に格納された標準画像に対して、画質調整処理を施すことなく、ディスプレイ１８４に表示するものである。
【００３０】
ディスプレイ１８４（モニタに相当する）は、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）等からなり、映像信号出力部１８２又は直接表示部１８３から出力された映像信号及び画像信号に対応する映像を表示するものである。
【００３１】
赤外線通信部１９は、リモコン２からの電源のＯＮ、ＯＦＦ操作、選局、デジタル放送受信機１の各種設定（ディスプレイ１８４に表示する映像の画質条件の設定等）等の各種操作を受け付けるものである。
【００３２】
次に、デジタル放送受信機１が放送を受信する場合の動作について説明する。まず、送信されてきたデジタル放送波がアンテナ部１５１で受信される。リモコン２（又は操作部１４）を介して選局操作が受け付けられた場合には、チューナ部１５２によって受信するトランスポンダ（Ｔｒａｎｓｐｏｎｄｅｒ）の切換が行われる。受信されたデジタル放送波は、Ａ／Ｄ変換部１５３によりデジタル情報に変換され、復調部１５４によって復調される。
【００３３】
なお、デジタル放送波は、送信側（送信局）からＴＳ（Ｔｒａｎｓｐｏｒｔ  Ｓｔｒｅａｍ）パケットとして送信される。このＴＳパケットは、映像情報、音声情報、制御情報等からなり、これらの情報がＴＳデマルチプレクサ１５５によって、分離して出力され、ＲＡＭ１２に格納される。そして、ＲＡＭ１２から読み出された音声情報がＤ／Ａ変換部１６１によってアナログ信号に変換され、音声信号出力部１６２を介してスピーカ１６３から音声が出力される。
【００３４】
また、ＲＡＭ１２から読み出された映像情報がＭＰＥＧ２デコード部１７によって圧縮前の映像情報に復号化され、ＮＴＳＣエンコード部１８１によってＮＴＳＣ方式の映像信号に変換されて、映像信号出力部１８２によって画質調整処理が施されてディスプレイ１８４に映像が表示される。
【００３５】
図２は、本発明に係るデジタル放送受信機１における主要部の構成の一例を示すブロック図である。デジタル放送受信機１のＭＰＵ１１は、機能的に、画質条件設定部１１１、画質設定実行部１１２、及び、標準画像表示部１１３を備えている。また、ＲＡＭ１２は、機能的に、設定条件記憶部１２１、及び、標準画像記憶部１２２を備えている。
【００３６】
ここでは、ＭＰＵ１１が、図１に示すＲＯＭ１３等に予め格納された制御プログラムを読み出して実行することにより、画質条件設定部１１１、画質設定実行部１１２、標準画像表示部１１３等の機能部として機能すると共に、ＲＡＭ１２を、設定条件記憶部１２１、標準画像記憶部１２２等の機能部として機能させるものである。
【００３７】
また、ＲＡＭ１２、図１に示すＲＯＭ１３等に格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしても良く、この場合、記録媒体は、例えばハードディスク、光ディスク、フレキシブルディスク、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）、半導体メモリ等である。
【００３８】
設定条件記憶部１２１は、画質条件設定部１１１によって設定された画質条件情報を格納するものである。また、設定条件記憶部１２１に格納された画質条件情報は、画質設定実行部１１２によって読み出されるものである。ここでは、画質条件は、色合い、色の濃さ、シャープネス、コントラスト及びブライトネスを含むものである。
【００３９】
標準画像記憶部１２２（標準画像記憶手段に相当する）は、画質を評価する標準画像情報を予め格納するものである。標準画像記憶部１２２に格納された標準画像情報は、標準画像表示部１１３によって読み出されるものである。
【００４０】
ここで、標準画像記憶部１２２に格納される標準画像情報は、色合い及び色の濃さのいずれか一方を設定する場合に参照されるカラーバー画像（図３（ａ）参照）、シャープネスを設定する場合に参照されるマルチバースト信号（Ｍｕｌｔｉ−Ｂｕｒｓｔ  Ｓｉｇｎａｌ）に対応する画像（図３（ｂ）参照）、及び、コントラスト及びブライトネスのいずれか一方を設定する場合に参照されるモノクロバー画像（図３（ｃ）参照）に対応する画像情報を含むものである。
【００４１】
また、標準画像記憶部１２２に格納されるカラーバー画像、マルチバースト信号に対応する画像、及び、モノクロバー画像は、デジタル放送受信機１が製造される際に、ディスプレイ１８４に表示される画像の画質の検査に使用される標準画像である。
【００４２】
図３は、標準画像記憶部１２２に格納される標準画像情報に対応する画像の一例を示す説明図である。（ａ）は、カラーバー画像であり、（ｂ）は、マルチバースト信号に対応する画像であり、（ｃ）は、モノクロバー画像である。（ａ）に示すように、カラーバー画像は、予め設定された８色にそれぞれ対応する色（ここでは、便宜上、網掛けの種類で色の相違を示している）を有する帯状の画像が横方向に配列されたものである。
【００４３】
（ｂ）に示すように、マルチバースト信号に対応する画像は、映像信号の周波数が、それぞれ、０．５ＭＨｚ、１ＭＨｚ、２ＭＨｚ、３ＭＨｚ、３．５８ＭＨｚ、４．２ＭＨｚである縦縞模様が横方向に配列されたものである。（ｃ）に示すように、モノクロバー画像は、予め設定された４階調の明るさ（ここでは、便宜上、網掛けの種類で色の相違を示している）に対応する帯状のモノクロ画像が横方向に配列されたものである。
【００４４】
再び、図２を用いて、ＭＰＵ１１の機能構成について説明する。画質条件設定部１１１（画質条件設定手段の一部に相当する）は、リモコン２を介してユーザからの操作入力を受け付けて、受け付けられた操作入力に基づいて、受信部１５を介して受信された映像情報に対応する映像をディスプレイ１８４に表示する際の画質を規定する条件である画質条件を設定し、設定された画質条件情報を設定条件記憶部１２１に記録する（＝書き込む）ものである。ここでは、画質条件設定部１１１によって設定される画質条件は、色合い、色の濃さ、シャープネス、コントラスト及びブライトネスを含むものである。
【００４５】
画質設定実行部１１２（画質調整手段の一部に相当する）は、画質条件設定部１１１によって画質条件が設定された場合に、設定された画質条件情報を設定条件記憶部１２１から読み出して、映像信号出力部１８２に対して、設定された画質条件に対応する画質調整処理を実行させるものである。
【００４６】
標準画像表示部１１３（標準画像表示手段に相当する）は、画質条件設定部１１１によって画質条件が設定された場合に、標準画像記憶部１２２に格納された標準画像情報を読み出して予め設定された画質条件（ここでは、デジタル放送受信機１が製造され出荷される際に、設定された画質条件）に基づいて、ディスプレイ１８４の予め設定された第１領域（図４に示す第１標準画像表示部３０２）に表示すると共に、標準画像情報を画質条件設定部１１１によって設定された画質条件に基づいて、ディスプレイ１８４の予め設定され、第１領域と相違する第２領域（図４に示す第２標準画像表示部３０３）に表示するものである。
【００４７】
なお、標準画像表示部１１３は、直接表示部１８３を介して、標準画像情報を第１領域（図４に示す第１標準画像表示部３０２）に表示すると共に、映像信号出力部１８２を介して、標準画像情報を第２領域（図４に示す第２標準画像表示部３０３）に表示するものである。更に、標準画像表示部１１３は、受信部１５を介して受信された映像情報に対応する映像を、映像信号出力部１８２を介して、ディスプレイ１８４の予め設定され、第１領域及び第２領域と相違する第３領域（図４に示す映像表示部３０１）に表示するものである。
【００４８】
図４は、標準画像表示部１１３によってディスプレイ１８４に表示される画質確認画面３００の一例を示す画面図である。画質確認画面３００には、画面上部に、映像表示部３０１が表示され、画面下部左側に、第１標準画像表示部３０２が表示され、画面下部右側に、第２標準画像表示部３０３が表示されている。
【００４９】
映像表示部３０１は、受信部１５を介して受信された映像情報に対応する映像を、映像信号出力部１８２を介して（＝画質条件設定部１１１によって設定された画質条件に基づいて）表示するものである。
【００５０】
第１標準画像表示部３０２は、標準画像記憶部１２２に格納された標準画像情報を、直接表示部１８３を介して（＝デジタル放送受信機１が製造され出荷される際に、設定された画質条件に基づいて）表示するものである。
【００５１】
第２標準画像表示部３０３は、標準画像記憶部１２２に格納された標準画像情報を、映像信号出力部１８２を介して（＝画質条件設定部１１１によって設定された画質条件に基づいて）表示するものである。
【００５２】
また、第１標準画像表示部３０２及び第２標準画像表示部３０３には、それぞれ、図３（ａ）に示すカラーバー画像３０２ａ、３０３ａ、図３（ｂ）に示すマルチバースト信号に対応する画像３０２ｂ、３０３ｂ、図３（ｃ）に示すモノクロバー画像３０２ｃ、３０３ｃが表示されている。
【００５３】
ユーザは、図４に示す画質確認画面３００の第２標準画像表示部３０３に表示された画像を、第１標準画像表示部３０２に合わせるべく画質条件を設定することによって、デジタル放送受信機１が製造され出荷される際に、設定された画質（＝適正な画質）の画像及び映像をディスプレイ１８４に表示することができる。
【００５４】
例えば、画質条件設定部１１１によって設定された色合い及び色の濃さに基づくカラーバー画像３０３ａ、及び、予め設定された色合い及び色の濃さに基づくカラーバー画像３０２ａがディスプレイ１８４に表示されるので、ユーザは、第２標準画像表示部３０３に表示されるカラーバー画像３０３ａの色合い及び色の濃さを、第１標準画像表示部３０２に表示されたカラーバー画像３０２ａの色合い及び色の濃さと一致するべく、色合い及び色の濃さを設定すれば良いので、適正な色合い及び色の濃さを容易に設定することができるのである。
【００５５】
また、映像表示部３０１に、受信部１５を介して受信された映像情報に対応する映像が、映像信号出力部１８２を介して（＝画質条件設定部１１１によって設定された画質条件に基づいて）表示されるので、視聴している映像に対してユーザが所望する画質に設定することもできる。
【００５６】
図５は、デジタル放送受信機１（主にＭＰＵ１１）の動作の一例を示すフローチャートである。なお、ここでは、便宜上、標準画像記憶部１２２に予め標準画像情報が格納されている場合について説明する。まず、画質条件設定部１１１によって画質条件が設定されたか否かの判定が行われる（Ｓ１０１）。画質条件が設定されていないと判定された場合（Ｓ１０１でＮＯ）には、処理が待機状態とされる。
【００５７】
画質条件が設定されたと判定された場合（Ｓ１０１でＹＥＳ）には、画質条件設定部１１１によって、ステップＳ１０１において設定された画質条件情報が設定条件記憶部１２１に記録される（Ｓ１０３）。そして、画質設定実行部１１２によって、映像信号出力部１８２を介して、ステップＳ１０３において設定された画質条件に対応する画質調整処理が実行される（Ｓ１０５）。
【００５８】
次いで、標準画像表示部１１３によって、受信部１５を介して受信された映像情報に対応する映像が、映像信号出力部１８２を介して、ディスプレイ１８４の図４に示す映像表示部３０１（第３領域に相当する）に表示される（Ｓ１０７）。次に、標準画像表示部１１３によって、映像信号出力部１８２を介して、標準画像情報が図４に示す第２標準画像表示部３０３（第２領域に相当する）に表示され（Ｓ１０９）。そして、標準画像表示部１１３によって、直接表示部１８３を介して、標準画像情報が図４に示す第１標準画像表示部３０２（第１領域に相当する）に表示され（Ｓ１１１）、処理が終了される。
【００５９】
このようにして、受信部１５によってテレビジョン放送が受信され、リモコン２を介してユーザからの操作入力が受け付けられて、受け付けられた操作入力に基づいて、受信部１５を介して受信された映像情報に対応する映像をディスプレイ１８４に表示する際の画質を規定する条件である画質条件が設定される。また、画質を評価する標準画像情報が標準画像記憶部１２２に予め格納されており、画質条件が設定された場合に、標準画像記憶部１２２に格納された標準画像情報が読み出されて予め設定された画質条件（ここでは、デジタル放送受信機１が製造され出荷される際に、設定された画質条件）に基づいて、ディスプレイ１８４の予め設定された第１標準画像表示部３０２（図４参照）に表示されると共に、標準画像情報が設定された画質条件に基づいて、ディスプレイ１８４の予め設定された第２標準画像表示部３０３（図４参照）に表示されるため、適正な画質条件を容易に設定することができる。
【００６０】
すなわち、画質条件が設定された場合に、標準画像記憶部１２２に格納された標準画像情報が読み出されて予め設定された画質条件に基づいて、ディスプレイ１８４の予め設定された第１標準画像表示部３０２（図４参照）に表示されると共に、標準画像情報が設定された画質条件に基づいて、ディスプレイ１８４の予め設定された第２標準画像表示部３０３（図４参照）に表示されるため、ユーザは、第２標準画像表示部３０３に表示される標準画像の画質を、第１標準画像表示部３０２に表示された標準画像の画質と一致するべく、画質条件を設定すれば良いので、適正な画質条件を容易に設定することができるのである。
【００６１】
また、画質設定実行部１１２によって、設定された画質条件に基づいて、映像信号出力部１８２を介して、ディスプレイ１８４に表示する映像情報の画質が調整される。一方、直接表示部１８３によって、映像信号出力部１８２を介することなく、ＯＳＤ（Ｏｎ−Ｓｃｒｅｅｎ  Ｄｉｓｐｌａｙ）機能に基づいて、ディスプレイ１８４に画像が表示される。そして、直接表示部１８３を介して、標準画像情報が第１標準画像表示部３０２（図４参照）に表示されると共に、映像信号出力部１８２を介して、標準画像情報が第２標準画像表示部３０３（図４参照）に表示されるため、簡素な構成で適正な画質条件を容易に設定することができる。
【００６２】
すなわち、映像信号出力部１８２を介することなく、ＯＳＤ機能に基づいて、ディスプレイ１８４に画像を表示する直接表示部１８３を介して、標準画像情報が第１標準画像表示部３０２（図４参照）に表示されると共に、設定された画質条件に基づいて、ディスプレイ１８４に表示する映像情報の画質を調整する映像信号出力部１８２を介して、標準画像情報が第２標準画像表示部３０３（図４参照）に表示されるため、設定された画質条件に基づく標準画像、及び、予め設定された画質条件に基づく標準画像を、簡素な構成でディスプレイ１８４に表示することができるのである。
【００６３】
つまり、映像信号出力部１８２を介することなく、ＯＳＤ機能に基づいて、ディスプレイ１８４に映像を表示する直接表示部１８３を有するため、この直接表示部１８３を介して予め設定された画質条件に基づく標準画像を簡素な構成でディスプレイ１８４に表示することができるのである。
【００６４】
更に、受信部１５を介して受信された映像情報に対応する映像が、ディスプレイ１８４の予め設定された映像表示部３０１（図４参照）に表示されるため、設定された画質条件に基づく標準画像、及び、予め設定された画質条件に基づく標準画像に加えて、受信された映像情報に対応する映像も参照して画質条件を設定することができるので、適正な画質条件を更に容易に設定することができる。
【００６５】
加えて、標準画像情報が、色合い及び色の濃さのいずれか一方を設定する場合に参照されるカラーバー画像（図３（ａ）、及び、図４に示すカラーバー画像３０２ａ、３０３ａ参照）、シャープネスを設定する場合に参照されるマルチバースト信号（Ｍｕｌｔｉ−Ｂｕｒｓｔ  Ｓｉｇｎａｌ）に対応する画像（図３（ｂ）、及び、図４に示すマルチバースト信号に対応する画像３０２ｂ、３０３ｂ参照）、及び、コントラスト及びブライトネスのいずれか一方を設定する場合に参照されるモノクロバー画像（図３（ｃ）、及び、図４に示すモノクロバー画像３０２ｃ、３０３ｃ参照）に対応する画像情報を含むため、色合い、色の濃さ、シャープネス、コントラスト及びブライトネスを含む画質調整を更に容易に設定することができる。
【００６６】
すなわち、例えば、設定された色合い及び色の濃さに基づくカラーバー画像３０３ａ、及び、予め設定された色合い及び色の濃さに基づくカラーバー画像３０２ａがディスプレイ１８４に表示される（図４参照）ので、ユーザは、第２標準画像表示部３０３に表示されるカラーバー画像３０３ａの色合い及び色の濃さを、第１標準画像表示部３０２に表示されたカラーバー画像３０２ａの色合い及び色の濃さと一致するべく、色合い及び色の濃さを設定すれば良いので、適正な色合い及び色の濃さを容易に設定することができるのである。
【００６７】
なお、本発明は、以下の形態にも適用可能である。
（Ａ）本実施形態では、放送受信装置が、デジタル放送受信機１である場合について説明したが、放送受信装置が、テレビジョン放送を受信し、外部から視認可能にディスプレイ１８４に出力するであれば良い。例えば、放送受信装置が、アナログ放送を受信する形態でも良いし、アナログ放送及びデジタル放送を受信する形態でも良い。
【００６８】
（Ｂ）本実施形態では、モニタが、デジタル放送受信機１に配設されたディスプレイ１８４である場合について説明したが、モニタが、デジタル放送受信機１とは別の装置として構成されている形態でも良い。例えば、モニタが、パーソナルコンピュータ等に配設されたモニタである形態でも良い。
【００６９】
（Ｃ）本実施形態では、ＭＰＵ１１が、画質条件設定部１１１、画質設定実行部１１２、標準画像表示部１１３等として機能する場合について説明したが、画質条件設定部１１１、画質設定実行部１１２、及び、標準画像表示部１１３の内、少なくとも１の機能部が回路等のハードウェアによって構成されている形態でも良い。
【００７０】
（Ｄ）本実施形態では、標準画像記憶部１２２に格納される標準画像情報が、カラーバー画像、マルチバースト信号に対応する画像、及び、モノクロバー画像からなる場合について説明したが、標準画像記憶部１２２に格納される標準画像情報が、カラーバー画像、マルチバースト信号に対応する画像、及び、モノクロバー画像の少なくとも１の画像を含む形態でも良い。
【００７１】
（Ｅ）本実施形態では、標準画像表示部１１３が、カラーバー画像３０２ａ、マルチバースト信号に対応する画像３０２ｂ、及び、モノクロバー画像３０２ｃを表示する第１標準画像表示部３０２と、カラーバー画像３０３ａ、マルチバースト信号に対応する画像３０３ｂ、及び、モノクロバー画像３０３ｃを表示する第２標準画像表示部３０３と、をディスプレイ１８４に表示する場合について説明したが、標準画像表示部１１３が、カラーバー画像３０２ａ、マルチバースト信号に対応する画像３０２ｂ、及び、モノクロバー画像３０２ｃの内、少なくとも１の画像を表示する第１標準画像表示部３０２と、カラーバー画像３０３ａ、マルチバースト信号に対応する画像３０３ｂ、及び、モノクロバー画像３０３ｃの内、少なくとも１の画像を表示する第２標準画像表示部３０３と、をディスプレイ１８４に表示する形態であれば良い。
【００７２】
例えば、色合い及び色の濃さのいずれか一方を設定する場合には、標準画像表示部１１３が、カラーバー画像３０２ａを表示する第１標準画像表示部３０２と、カラーバー画像３０３ａを表示する第２標準画像表示部３０３と、をディスプレイ１８４に表示する形態でも良い。この場合には、処理が簡略化されると共に、カラーバー画像３０２ａ及びカラーバー画像３０３ａを大きく表示することができるので、視認性が向上される。
【図面の簡単な説明】
【００７３】
【図１】は、本発明に係るデジタル放送受信機の一例を示すブロック図である。
【図２】は、本発明に係るデジタル放送受信機における主要部の構成の一例を示すブロック図である。
【図３】は、標準画像記憶部に格納される標準画像情報に対応する画像の一例を示す説明図である。
【図４】は、標準画像表示部によってディスプレイに表示される画質確認画面の一例を示す画面図である。
【図５】は、デジタル放送受信機（主にＭＰＵ）の動作の一例を示すフローチャートである。
【符号の説明】
【００７４】
１    デジタル放送受信機（放送受信装置）
１１    ＭＰＵ
１１１    画質条件設定部（画質条件設定手段の一部）
１１２    画質設定実行部（画質調整手段の一部）
１１３    標準画像表示部（標準画像表示手段）
１２    ＲＡＭ
１２１    設定条件記憶部
１２２    標準画像記憶部（標準画像記憶手段）
１５    受信部（受信手段）
１８    画像出力部
１８１    ＮＴＳＣエンコード部
１８２    映像信号出力部（画質調整手段の一部）
１８３    直接表示部（直接表示手段）
１８４    ディスプレイ（モニタ）
２    リモコン（画質条件設定手段の一部）
【図１】
0005194725.tif 000002
【図２】
0005194725.tif 000003
【図３】
0005194725.tif 000004
【図４】
0005194725.tif 000005
【図５】
0005194725.tif 000006